(57)【特許請求の範囲】
【請求項１】
板状部材の開口に一面側から挿入され得るベース本体と、
上記ベース本体に設けられて、上記ベース本体が上記開口に取付られたとき、上記板状部材の上記一面側に接するフランジと、
上記ベース本体に枢着された一端と自由端とを持ち、上記自由端が上記板状部材の他面から離れて上記ベース本体の上記開口に対する挿脱を可能にする解放位置と、上記板状部材の上記他面に係合して、上記フランジと共働して上記開口縁を挟持する締結位置とに回動可能な取付金具と、
一端で上記取付金具に枢着され、他端で上記ベース本体に設けられたばね受けホーンに枢着され、上記取付金具が上記締結位置にあるときには上記解放位置にあるときに対して作用方向が反転して上記取付金具を上記板状部材に弾性的に係合させるばねとを備えた埋込み型感知器ベース。
【発明の詳細な説明】
【０００１】
【発明の属する技術分野】
本発明は埋込み型感知器ベースに関するものであり、特に各種感知器を取付るための感知器ベースであって、天井等の板状部材の一側から着脱自在に取付ることのできる埋込み型感知器ベースに関するものである。
【０００２】
【従来の技術】
従来の埋込み型感知器ベースは、例えば図４に示す如く、板状部材である天井１の開口縁２により形成された開口３に室内側から挿入され得るベース本体６と、ベース本体６に設けられて、ベース本体６が開口３に取付られたとき、天井１の室内側面に接するフランジ７とを備えている。ベース本体６には、一端１０でヒンジ９により枢着され、他端が自由端１１である取付金具１２が設けられていて、この取付金具１２は、自由端１１が天井１の裏面から離れてベース本体６の開口３に対する挿脱を可能にする解放位置（破線位置）と、天井１の裏面に係合して、フランジ７と共働して開口縁２を挟持する締結位置（実線位置）とに回動可能である。取付金具１２を解放位置と締結位置との間で移動させるために、一端側で取付金具１２にナット３１を介して螺着され、他端で係合穴３２を介してベース本体６に係合されたねじジャッキ型の取付ねじ３３とを備えている。取付金具１２が締結位置にあるときには取付ねじ３３が取付金具１２をベース本体６に対して引き寄せるように作用し、天井１の開口縁２が取付金具１２とベース本体６のフランジ７との間に挟持される。
【０００３】
このような埋込み型感知器ベースを取付るためには、まず取付金具１２に対して取付ねじ３３をあまりねじ込まない状態として、取付金具１２を解放位置にする。この状態でベース本体６を天井１の開口内に挿入して、フランジ７を天井１の一側である室内側面に接した状態のままドライバー（図示してない）を用いて取付ねじ３３を締め、天井１の開口縁２が取付金具１２とベース本体６のフランジ７との間にしっかりと挟持されるようにする。天井１の厚さは、一般的には０．５ｃｍ乃至２ｃｍ程度であるので、取付ねじ３３は長めのものを用いてある程度の厚さの範囲には対応できるようにしてある。
【０００４】
【発明が解決しようとする課題】
しかしながら、このような従来の埋込み型感知器ベースに於いては、取付金具１２に対して取付ねじ３３をあまりねじ込まない不安定な状態のまま、ベース本体６を天井１の開口内に挿入して、作業台上の作業者が上向き姿勢のまま手で押さえて、フランジ７が天井面に接した状態を維持しながら、ドライバーを用いて長い取付ねじ３３を締めなければならない。このような作業は、不安定で窮屈な姿勢での作業となり、困難で作業性が良くない。
【０００５】
また、様々な厚さの天井に対応できるように長い取付ねじを用いているので、ねじ締め作業の時間も長くかかる。
【０００６】
従って本発明の目的は、上述の従来の埋込み型感知器ベースの問題点を解消し、不安定で窮屈な姿勢での作業が不要となり、取付作業が容易かつ迅速にでき、ねじ締め作業が不必要な埋込み型感知器ベースを提供することである。
【０００７】
【課題を解決するための手段】
従って、本発明によれば、板状部材の開口に一側から挿入され得るベース本体と、ベース本体に設けられて、ベース本体が開口に取付られたとき、板状部材の一面側に接するフランジと、ベース本体に枢着された一端と自由端とを持ち、自由端が板状部材の他面から離れてベース本体の開口に対する挿脱を可能にする解放位置と、板状部材の他面に係合して、フランジと共働して開口縁を挟持する締結位置とに回動可能な取付金具と、一端で取付金具に枢着され、他端でベース本体に枢着され、取付金具が締結位置にあるときには解放位置にあるときに対して作用方向が反転して取付金具を板状部材に弾性的に係合させるばねとを備えた埋込み型感知器ベースが得られる。
【０００８】
また、取付金具とばねとの枢着点は、解放位置では、取付金具のベース本体上の回動中心と、ばねのベース本体上の回動中心とを結ぶ作用中心線の一側にあるようにするとよい。
【０００９】
ベース本体が、取付金具をばね作用に抗して解放位置に動かすための工具を挿入するための操作開口を備えることもできる。
【００１０】
取付金具は板状レバーとし、ばねは圧縮ばねとすることもできる。
【００１１】
ばねの他端は、ベース本体に設けられたばね受けホーンに枢着してもよい。
【００１２】
【発明の実施の形態】
実施の形態１．
本発明の埋込み型感知器ベースは、板状部材である天井１の開口縁２により形成された開口３に室内側から挿入され得る円筒壁４および頂壁５を有するベース本体６と、ベース本体６に設けられて、ベース本体６が開口縁２に取付られたとき、天井１の室内側に接するフランジ７とを備えている。ベース本体６は、全体として倒立した浅いカップ型の部材である。図示はしてないが、このベース本体６内に火災感知器等が取付られ、信号線等は頂壁５に形成された孔８を通して警報装置等にまで配線される。
【００１３】
ベース本体６の頂壁５には、ヒンジ９により回動自在に枢着された一端１０と、ヒンジ９回りに自由に動ける自由端１１とを持ち、ほぼＬ字型に折り曲げられた板状のレバーである取付金具１２が設けられている。自由端１１が天井１の裏面すなわち他面から離れ、ベース本体６を開口３に対して挿脱可能とする取付金具１２の位置（図２の左半分に破線で示され、図２の右半分に実線で示す）は、天井１の開口縁２に対して埋込み型感知器ベースが解放されるので解放位置である。また、自由端１１が天井１の裏面すなわち他面に係合して、ベース本体６のフランジ７と共働してその間に天井１の開口縁２を挟持する図２の左半分に実線で示され、図２の右半分に破線で示す取付金具１２の位置は、埋込み型感知器ベースが天井１に締結された締結位置である。
【００１４】
取付金具１２の折曲られた部分には、圧縮ばね１５の一端が枢着されている。このばね１５の他端は、ベース本体６の頂壁５に設けられたほぼ三角形のばね受けホーン１６を介してベース本体６に枢着されている。図２から理解されるように、ばね受けホーン１６上にあるばね１５の他端側の回動中心１８と、取付金具１２の回動中心１９とは固定されていて移動せず、ばね１５と取付金具１２との間の枢着点２０は、ばね１５の圧縮力のために、常に回動中心１８と回動中心１９とを結ぶ直線である作用中心線Ａから遠ざかる方向に移動しようとしている。従って、ばね１５は、取付金具１２が締結位置（図２の左半分の実線）にあるときには、解放位置（図２の左半分の破線）にあるときに対して、取付金具１２との枢着点２０が作用中心線Ａ（中立位置）の反対側になり、作用方向が反転して取付金具１２の先端を板状部材である天井１の裏面に弾性的に係合させることになる。取付金具１２の中立位置は図２には２点鎖線により示してある。
【００１５】
ベース本体６の頂壁５には、板状の取付金具１２に対応した位置にドライバー等の工具２１を挿入して、ばね１５の作用に抗して取付金具１２を解放位置に操作するための操作開口２２が設けられている。
【００１６】
図示の例ではこのように取付金具１２とばね１５とで構成された締結装置が、円形のベース本体６の中心に対して径方向反対側の対向端に１つずつ設けられている。このような締結装置を必要に応じて３つ以上使用することもできる。
【００１７】
本発明の埋込み型感知器ベースを天井１の開口３に取付るためには、２つの取付金具１２を図２の右半分に実線で示す解放位置にして開口３に挿入し、ベース本体６のフランジ７が天井１の開口縁２に接した状態に手で保持する。作業者は指もしくはドライバー等の工具２１孔８に挿入してその先端で取付金具１２をベース本体６の中から外側の方向に押し、ばね１５と取付金具１２とを回動させてそれらの間の枢着点２０をして作用中心線Ａを越えさせる。するとばね１５の作用方向が反転し、取付金具１２は締結位置に移動させられ、その自由端１１は天井１の裏面すなわち他面に係合して、ベース本体６のフランジ７と共働してその間に天井１の開口縁２を挟持する。このようにして、２つの取付金具１２を共に図２の左半分に実線で示される締結位置にすれば、埋込み型感知器ベースは天井１にしっかりと締結され、このベースに各種検知器を取付ることができる。
【００１８】
本発明の埋込み型感知器ベースを天井１から取り外す場合には、ベース本体６の頂壁５に形成した操作開口２２から工具２１を挿入して、その先端で取付金具１２を突き上げて回動させて、取付金具１２とばね１５との間の枢着点２０をして作用中心線Ａを越えさせる。すると、ばね１５の作用方向が反転して取付金具１２がその解放位置に移動させられる。このようにして２つの取付金具１２を共に解放位置にすれば、埋込み型感知器ベースは天井１から容易に取り外すことができる。
【００１９】
以上説明したように、本発明の埋込み型感知器ベースは、ベース本体に枢着された一端と自由端とを持ち、自由端が板状部材の他面から離れてベース本体の開口に対する挿脱を可能にする解放位置および板状部材の他面に係合して、フランジと共働して開口縁を挟持する締結位置に回動可能な取付金具と、一端で取付金具に枢着され、他端でベース本体に枢着され、取付金具が締結位置にあるときには解放位置にあるときに対して作用方向が反転して取付金具を板状部材に弾性的に係合させるばねとを備えているので、埋込み型感知器ベースの天井に対する着脱作業が極めて容易で迅速かつ確実に実行でき、交換用の取付ねじを用意する必要もない。
【図面の簡単な説明】
【図１】  本発明の埋込み型感知器ベースの一実施態様を示す平面図である。
【図２】  図１の埋込み型感知器ベースの側面断面図である。
【図３】  図１の埋込み型感知器ベースの締結装置を示す斜視図である。
【図４】  従来の埋込み型感知器ベースを示す側面断面図である。
【符号の説明】
１  天井（板状部材）、２  開口縁、３  開口、６  ベース本体、７  フランジ、１０  一端、１１  自由端、１２  取付金具、１５  ばね、１６  ばね受けホーン、１８  回動中心、１９  回動中心、２０  枢着点、２１  作用中心線、２２  操作開口。
【図１】
0003779060.tif 000002
【図２】
0003779060.tif 000003
【図３】
0003779060.tif 000004
【図４】
0003779060.tif 000005